(57)【要約】  本発明は、シフトレジスタユニット及び表示装置を提供し、従来のシフトレジスタユニットが異なる二つのトランジスタによって当該シフトレジスタユニットに接続される走査ゲートラインのレベルをそれぞれプルアップとダウンさせていたことにより、シフトレジスタユニットが占める面積が大きく、そのため当該シフトレジスタユニットを製造する際の原材料の消耗が大きく、よって当該シフトレジスタユニット及び当該シフトレジスタユニットを含む表示装置を製造する際のコストが高い問題を解決する。当該シフトレジスタユニットは、第１のコンデンサと、第１のトランジスタと、プルアップモジュールと、第１のプルダウンモジュールと、を有し、第１のトランジスタの第１電極がクロック信号を受け付け、第１のトランジスタのゲート電極が第１のコンデンサの一端、プルアップモジュール及び第１のプルダウンモジュールにそれぞれ接続され、第１のトランジスタの第２電極が第１のコンデンサの他端に接続される。当該シフトレジスタユニットは、第１のトランジスタによって、当該シフトレジスタユニットと接続されている走査ゲートラインのレベルをプルアップ及びダウンさせる。
2016526247.tif 000002
【特許請求の範囲】
【請求項１】
第１のコンデンサと、第１のトランジスタと、プルアップモジュールと、第１のプルダウンモジュールと、を有するシフトレジスタユニットであって、
第１のトランジスタの第１電極はクロック信号を受け付け、第１のトランジスタのゲート電極は第１のコンデンサの一端、プルアップモジュール及び第１のプルダウンモジュールにそれぞれ接続され、第１のトランジスタの第２電極は第１のコンデンサの他端に接続され、
プルアップモジュールは、クロック信号が第２レベルの信号であり且つプルアップ選択信号が第１レベルの信号であるときは、第１のトランジスタのゲート電極に第１レベルの信号を出力し、クロック信号が第１レベルの信号であり且つプルアップ選択信号が第２レベルの信号であるときは、第１のトランジスタのゲート電極に第１レベルの信号を出力せず、前記プルアップ選択信号は前記シフトレジスタユニットの一段前のシフトレジスタユニットが出力する信号であり、
第１のプルダウンモジュールは、クロック信号が第１レベルの信号であり且つ第１のプルダウン選択信号が第１レベルの信号であるときは、第１のトランジスタのゲート電極と第２レベル信号入力端が連結するように制御し、前記第１のプルダウン選択信号は、前記シフトレジスタユニットの後の第２段のシフトレジスタユニットが出力する信号であり、
第１のトランジスタは、第１のトランジスタのゲート電極の信号が第１レベルの信号であるときは、受け付けたクロック信号を第１のトランジスタの第２電極から出力し、且つ前記第１のトランジスタのゲート電極の信号が第２レベルの信号であるときは、受け付けたクロック信号を第１のトランジスタの第２電極から出力しないこと、を特徴とするシフトレジスタユニット。
【請求項２】
前記シフトレジスタユニットは、さらに、第２のプルダウンモジュールを有し、第２のプルダウンモジュールは第１のトランジスタのゲート電極と第１のトランジスタの第２電極にそれぞれ接続され、
前記第２のプルダウンモジュールは、第１のトランジスタのゲート電極の信号が第２レベルの信号であり、クロック信号が第１レベルの信号であり且つクロック阻害信号が第２レベルの信号であるときは、第１のトランジスタのゲート電極と第１のトランジスタの第２電極のいずれも第２レベル信号入力端と連結するように制御し、また第１のトランジスタのゲート電極の信号が第２レベルの信号であり、クロック信号が第２レベルの信号であり、且つクロック阻害信号が第１レベルの信号であるときは、第１のトランジスタのゲート電極と第１のトランジスタの第２電極のいずれも第２レベル信号入力端と切断するように制御し、そして第１のトランジスタのゲート電極の信号が第１レベルの信号であるときは、第１のトランジスタのゲート電極と第１のトランジスタの第２電極のいずれも第２レベル信号入力端と切断するように制御する、請求項１に記載のシフトレジスタユニット。
【請求項３】
前記第２のプルダウンモジュールは、第１のプルダウン駆動ユニットと第１のプルダウンユニットと、を有し、第１のプルダウン駆動ユニットと第１のプルダウンユニットが接続する接続ポイントは第１のプルダウンノードであり、
前記第１のプルダウン駆動ユニットは、第１のトランジスタのゲート電極の信号が第１レベルの信号であるときは、第１のプルダウンノードの信号が第２レベルの信号になるように制御し、また第１のトランジスタのゲート電極の信号が第２レベルの信号であり、クロック信号が第１レベルの信号であり、且つクロック阻害信号が第２レベルの信号であるときは、第１のプルダウンノードの信号が第１レベルの信号になるように制御し、そして、第１のトランジスタのゲート電極の信号が第２レベルの信号であり、クロック信号が第２レベルの信号であり、且つクロック阻害信号が第１レベルの信号であるときは、第１のプルダウンノードの信号が第２レベルの信号になるように制御し、
前記第１のプルダウンユニットは、第１のプルダウンノードの信号が第１レベルの信号であるときは、第１のトランジスタのゲート電極と第１のトランジスタの第２電極のいずれも第２レベル信号入力端と連結するように制御し、また第１のプルダウンノードの信号が第２レベルの信号であるときは、第１のトランジスタのゲート電極と第１のトランジスタの第２電極のいずれも第２レベル信号入力端と切断するように制御する、ことを特徴とする請求項１または２に記載のシフトレジスタユニット。
【請求項４】
前記第１のプルダウン駆動ユニットは、第２のトランジスタと、第３のトランジスタと、第４のトランジスタと、を有し、
第２のトランジスタの第１電極はクロック信号を受け付け、第２のトランジスタのゲート電極はクロック信号を受け付け、第２のトランジスタの第２電極は第１のプルダウンノードに接続され、第３のトランジスタの第１電極はクロック信号を受け付け、第３のトランジスタのゲート電極はクロック阻害信号を受け付け、第３のトランジスタの第２電極は第１のプルダウンノードに接続され、第４のトランジスタの第１電極は第１のプルダウンノードに接続され、第４のトランジスタのゲート電極は第１のトランジスタのゲート電極に接続され、第４のトランジスタの第２電極は第２レベル信号入力端に接続され、
第２のトランジスタは、クロック信号が第１レベルの信号であるときにオンになり、且つクロック信号が第２レベルの信号であるときにオフになり
第３のトランジスタは、クロック阻害信号が第１レベルの信号であるときにオンになり、且つクロック阻害信号が第２レベルの信号であるときにオフになり、
第４のトランジスタは、第１のトランジスタのゲート電極の信号が第１レベルの信号であるときは、第１のプルダウンノードと第２レベル信号入力端を連結させ、また第１のトランジスタのゲート電極の信号が第２レベルの信号であるときは、第１のプルダウンノードと第２レベル信号入力端を切断させる、請求項３に記載のシフトレジスタユニット。
【請求項５】
前記第１のプルダウンユニットは、第５のトランジスタと、第６のトランジスタと、を有し、
第５のトランジスタの第１電極は第１のトランジスタのゲート電極に接続され、第５のトランジスタのゲート電極は第１のプルダウンノードに接続され、第５のトランジスタの第２電極は第２レベル信号入力端に接続され、第６のトランジスタの第１電極は第１のトランジスタの第２電極に接続され、第６のトランジスタのゲート電極は第１のプルダウンノードに接続され、第６のトランジスタの第２電極は第２レベル信号入力端に接続され、
第５のトランジスタは、第１のプルダウンノードの信号が第１レベルの信号であるときに、第１のトランジスタのゲート電極と第２レベル信号入力端を連結させ、また第１のプルダウンノードの信号が第２レベルの信号であるときに、第１のトランジスタのゲート電極と第２レベル信号入力端を切断させ、
第６のトランジスタは、第１のプルダウンノードの信号が第１レベルの信号であるときに、第１のトランジスタの第２電極と第２レベル信号入力端を連結させ、また第１のプルダウンノードの信号が第２レベルの信号であるときに、第１のトランジスタの第２電極と第２レベル信号入力端を切断させる、請求項３または４に記載のシフトレジスタユニット。
【請求項６】
前記シフトレジスタユニットは、さらに、第３のプルダウンモジュールを有し、第３のプルダウンモジュールは第１のトランジスタのゲート電極と第１のトランジスタの第２電極にそれぞれ接続され、
前記第３のプルダウンモジュールは、プルアップ選択信号が第１レベルの信号であり、又は第２のプルダウン選択信号が第１レベルの信号であり、又はクロック阻害信号が第２レベルの信号であるときは、第１のトランジスタのゲート電極と第１のトランジスタの第２電極のいずれも第２レベル信号入力端と切断するように制御するし、またプルアップ選択信号、第１のプルダウン選択信号及び第２のプルダウン選択信号のいずれも第２レベルの信号であり、且つクロック信号が第２レベルの信号であり、クロック阻害信号が第１レベルの信号であるときは、第１のトランジスタのゲート電極と第１のトランジスタの第２電極のいずれも第２レベル信号入力端と連結するように制御し、前記第２のプルダウン選択信号は前記シフトレジスタユニットの一段後のシフトレジスタユニットが出力する信号である、請求項１ないし５のいずれか一項に記載のシフトレジスタユニット。
【請求項７】
前記第３のプルダウンモジュールは、第２のプルダウン駆動ユニットと、第２のプルダウンユニットと、を有し、第２のプルダウン駆動ユニットと第２のプルダウンユニットとが接続する接続ポイントは第２のプルダウンノードであり、
第２のプルダウン駆動ユニットは、プルアップ選択信号が第１レベルの信号であり、又は第２のプルダウン選択信号が第１レベルの信号であり、又はクロック阻害信号が第２レベルの信号であるときは、第２のプルダウンノードの信号が第２レベルの信号になるように制御し、また、プルアップ選択信号、第１のプルダウン選択信号及び第２のプルダウン選択信号のいずれも第２レベルの信号であり、且つクロック信号が第２レベルの信号であり、クロック阻害信号が第１レベルの信号であるときは、第２のプルダウンノードの信号が第１レベルの信号になるように制御し、
第２のプルダウンユニットは、第２のプルダウンノードの信号が第１レベルの信号であるときは、第１のトランジスタのゲート電極と第１のトランジスタの第２電極のいずれも第２レベル信号入力端と連結するように制御し、また第２のプルダウンノードの信号が第２レベルの信号であるときは、第１のトランジスタのゲート電極と第１のトランジスタの第２電極のいずれも第２レベル信号入力端と切断するように制御する、請求項６に記載のシフトレジスタユニット。
【請求項８】
前記第２のプルダウン駆動ユニットは、第７のトランジスタと、第８のトランジスタと、第９のトランジスタと、第１０のトランジスタと、第１１のトランジスタと、第１２のトランジスタと、を有し、
第７のトランジスタの第１電極はクロック阻害信号を受け付け、第７のトランジスタのゲート電極はクロック信号を受け付け、第７のトランジスタの第２電極は第２のプルダウンノードに接続され、第８のトランジスタの第１電極はクロック阻害信号を受け付け、第８のトランジスタのゲート電極はクロック阻害信号を受け付け、第８のトランジスタの第２電極は第２のプルダウンノードに接続され、第９のトランジスタの第１電極はプルアップ選択信号を受け付け、第９のトランジスタのゲート電極はプルアップ選択信号を受け付け、第９のトランジスタの第２電極は第１２のトランジスタのゲート電極に接続され、第１０のトランジスタの第１電極は第２のプルダウン選択信号を受け付け、第１０のトランジスタのゲート電極は第２のプルダウン選択信号を受け付け、第１０のトランジスタの第２電極は第１２のトランジスタのゲート電極に接続され、第１１のトランジスタの第１電極は第１２のトランジスタのゲート電極に接続され、第１１のトランジスタのゲート電極は第１のプルダウン選択信号を受け付け、第１１のトランジスタの第２電極は第２レベル信号入力端に接続され、第１２のトランジスタの第１電極は第２のプルダウンノードに接続され、第１２のトランジスタの第２電極は第２レベル信号入力端に接続され、
第７のトランジスタは、クロック信号が第１レベルの信号であるときにオンになり、且つクロック信号が第２レベルの信号であるときにオフになり、
第８のトランジスタは、クロック阻害信号が第１レベルの信号であるときにオンになり、且つクロック阻害信号が第２レベルの信号であるときにオフになり、
第９のトランジスタは、プルアップ選択信号が第１レベルの信号であるときに、第１２のトランジスタのゲート電極の信号が第１レベルの信号になるように制御し、且つプルアップ選択信号が第２レベルの信号であるときにオフになり、
第１０のトランジスタは、第２のプルダウン選択信号が第１レベルの信号であるときに、第１２のトランジスタのゲート電極の信号が第１レベルの信号になるように制御し、且つ第２のプルダウン選択信号が第２レベルの信号であるときにオフになり、
第１１のトランジスタは、第１のプルダウン選択信号が第１レベルの信号であるときに、第１２のトランジスタのゲート電極と第２レベル信号入力端を連結させ、且つ第１のプルダウン選択信号が第２レベルの信号であるときに、第１２のトランジスタのゲート電極と第２レベル信号入力端を切断させ、
第１２のトランジスタは、第１２のトランジスタのゲート電極の信号が第１レベルの信号であるときに第２のプルダウンノードと第２レベル信号入力端を連結させ、また第１２のトランジスタのゲート電極の信号が第２レベルの信号であるときに第２のプルダウンノードと第２レベル信号入力端を切断させる、請求項７に記載のシフトレジスタユニット。
【請求項９】
第２のプルダウンユニットは、第１３のトランジスタと、第１４のトランジスタと、を有し、
第１３のトランジスタの第１電極は第１のトランジスタのゲート電極に接続され、第１３のトランジスタのゲート電極は第２のプルダウンノードに接続され、第１３のトランジスタの第２電極は第２レベル信号入力端に接続され、第１４のトランジスタの第１電極は第１のトランジスタの第２電極に接続され、第１４のトランジスタのゲート電極は第２のプルダウンノードに接続され、第１４のトランジスタの第２電極は第２レベル信号入力端に接続され、
第１３のトランジスタは、第２のプルダウンノードの信号が第１レベルの信号であるときに、第１のトランジスタのゲート電極と第２レベル信号入力端を連結させ、且つ第２のプルダウンノードの信号が第２レベルの信号であるときに、第１のトランジスタのゲート電極と第２レベル信号入力端を切断させ、
第１４のトランジスタは、第２のプルダウンノードの信号が第１レベルの信号であるときに、第１のトランジスタの第２電極と第２レベル信号入力端を連結させ、且つ第２のプルダウンノードの信号が第２レベルの信号であるときに、第１のトランジスタの第２電極と第２レベル信号入力端を切断させる、請求項７または８に記載のシフトレジスタユニット。
【請求項１０】
前記プルアップモジュールは、第１５のトランジスタを有し、
第１５のトランジスタの第１電極はプルアップ選択信号を受け付け、第１５のトランジスタのゲート電極はプルアップ選択信号を受け付け、第１５のトランジスタの第２電極は第１のトランジスタのゲート電極に接続され、
第１５のトランジスタは、プルアップ選択信号が第１レベルの信号であるときに、第１のトランジスタのゲート電極の信号が第１レベルの信号になるように制御し、またプルアップ選択信号が第２レベルの信号であるときにオフになる、請求項１ないし９のいずれか一項に記載のシフトレジスタユニット。
【請求項１１】
前記第１のプルダウンモジュールは、第１６のトランジスタを有し、
第１６のトランジスタの第１電極は第１のトランジスタのゲート電極に接続され、第１６のトランジスタのゲート電極は第１のプルダウン選択信号を受け付け、第１６のトランジスタの第２電極は第２レベル信号入力端に接続され、
第１６のトランジスタは、第１のプルダウン選択信号が第１レベルの信号であるときに、第１のトランジスタのゲート電極を第２レベル信号入力端と連結させ、また第１のプルダウン選択信号が第２レベルの信号であるときにオフになる、請求項１ないし１０のいずれか一項に記載のシフトレジスタユニット。
【請求項１２】
表示装置であって、前記表示装置は複数段の請求項１ないし１１のいずれか一項に記載のシフトレジスタを有することを特徴とする表示装置。
【発明の詳細な説明】
【技術分野】
【０００１】
本発明は、表示技術分野に関し、特にシフトレジスタユニット及び表示装置に関する。
【背景技術】
【０００２】
液晶ディスプレイ（ＬＣＤ：ｌｉｑｕｉｄ  ｃｒｙｓｔａｌ  ｄｉｓｐｌａｙ）又は有機発光ダイオード（ＯＬＥＤ：Ｏｒｇａｎｉｃ  Ｌｉｇｈｔ−Ｅｍｉｔｔｉｎｇ  Ｄｉｏｄｅ）は低放射量、小型、省エネ等の利点を有し、次第に従来のＣＲＴディスプレイ（Ｃａｔｈｏｄｅ  Ｒａｙ  Ｔｕｂｅ  ｄｉｓｐｌａｙ）に取って代わるものとなり、ノート型パソコン、ＰＤＡ（Ｐｅｒｓｏｎａｌ  Ｄｉｇｉｔａｌ  Ａｓｓｉｓｔａｎｔ）、平面型テレビ又は携帯電話などの情報製品に広く応用されるようになった。従来の液晶ディスプレイは外部駆動チップを利用してパネル上のチップを駆動することにより画像を表示する方式を用いていたが、近年は、次第に、素子の数量を減少させ、製造コストを削減するために、駆動回路構成を直接表示パネル上に製造するように発展してきており、例えばゲート駆動回路（ｇａｔｅ  ｄｒｉｖｅｒ）を液晶パネルに統合する技術が採択されている（ＧＯＡ：Ｇａｔｅ  Ｏｎ  Ａｒｒａｙ）。
【０００３】
現在においてよく用いられるシフトレジスタユニットは、図１に示すように、トランジスタＴ１と、トランジスタＴ２と、トランジスタＴ３と、トランジスタＴ４と、コンデンサＣ１と、プルダウン回路１１と、を有し、図１に示すシフトレジスタユニットが第Ｎ段のシフトレジスタユニットである場合、トランジスタＴ１のゲート電極は第Ｎ−１段のシフトレジスタユニットが出力する信号を受け付け、トランジスタＴ１のソース電極はＶＤＤ信号を受け付け、トランジスタＴ１のドレイン電極はトランジスタＴ２のゲート電極に接続され、トランジスタＴ２のソース電極はクロック信号ＣＬＫを受け付け、トランジスタＴ２のドレイン電極は第Ｎ段のシフトレジスタユニットの出力端であり、コンデンサＣ１の一端はトランジスタＴ２のゲート電極に接続され、コンデンサＣ１の他端はトランジスタＴ２のドレイン電極に接続され、トランジスタＴ３のソース電極はトランジスタＴ２のゲート電極に接続され、トランジスタＴ３のゲート電極は第Ｎ＋１段のシフトレジスタユニットが出力する信号を受け付け、トランジスタＴ３のドレイン電極はＶＳＳ信号を受け付け、トランジスタＴ４のソース電極はトランジスタＴ２のドレイン電極に接続され、トランジスタＴ４のゲート電極は第Ｎ＋１段のシフトレジスタユニットが出力する信号を受け付け、トランジスタＴ４のドレイン電極はＶＳＳ信号を受け付け、プルダウン回路１１はトランジスタＴ２のゲート電極とトランジスタＴ２のドレイン電極にそれぞれ接続される。
【０００４】
第Ｎ−１段のシフトレジスタユニットが出力する高レベル信号がトランジスタＴ１をオンにさせたとき、このとき、第Ｎ段のシフトレジスタユニットに接続される走査ゲートラインが選択され、トランジスタＴ２のゲート電極がＶＤＤ信号を受け付け、トランジスタＴ２がオンになり、このとき、ＣＬＫ信号は低レベルの信号であり、第Ｎ段のシフトレジスタユニットはＣＬＫ信号を出力し、すなわち第Ｎ段のシフトレジスタユニットが低レベル信号を出力する。ＣＬＫ信号が高レベル信号に変化したとき、第Ｎ−１段のシフトレジスタユニットは低レベルの信号を出力し、トランジスタＴ１がオフになるが、コンデンサＣ１の格納作用により、トランジスタＴ２はオンの状態を維持し、第Ｎ段のシフトレジスタユニットは高レベル信号を出力し、よって第Ｎ＋１段のシフトレジスタユニットに接続される走査ゲートラインが選択され、且つトランジスタＴ２は第Ｎ段のシフトレジスタユニットに接続される走査ゲートラインを充電し、第Ｎ段のシフトレジスタユニットに接続される走査ゲートラインの電圧を上昇させる。第Ｎ段のシフトレジスタユニットが第Ｎ＋１段のシフトレジスタユニットの出力した高レベル信号を受け付けたとき、トランジスタＴ３がオンになり、トランジスタＴ２のゲート電極がＶＳＳ信号を受け付け、トランジスタＴ２がオフになり、第Ｎ段のシフトレジスタユニットと接続される走査ゲートラインはトランジスタＴ４によって放電され、その電圧を低下させる。このとき、第Ｎ段のシフトレジスタユニットに接続される走査ゲートラインは選択されなくなり、これにより各段のシフトレジスタユニットに接続される走査ゲートラインを順次に選択する機能を実現する。そして、プルダウン回路１１は第Ｎ段のシフトレジスタユニットに安定して電圧を出力させるために用いられる。
【０００５】
図１に示す回路において、当該シフトレジスタユニットに対応する走査ゲートラインをプルアップさせるトランジスタＴ２と当該シフトレジスタユニットに対応する走査ゲートラインをプルダウンさせるトランジスタＴ４は別個に設計されており、走査ゲートライン全体を充放電させなければならないため、この二つのトランジスタのサイズはシフトレジスタユニットの中の他のトランジスタのサイズより格段に大きく、つまり、このようなシフトレジスタユニットが占める面積は大きい。そのため、同じ数量の当該シフトレジスタユニットを製造するときに必要なガラス基板の面積が大きくなり、ガラス基板などの原材料の消耗が大きく、そのため当該シフトレジスタユニット及び当該シフトレジスタユニットを含む表示装置を製造するコストが高くなってしまう。
【０００６】
上記のように、従来技術のシフトレジスタユニットがそれに接続される走査ゲートラインを充放電するとき、シフトレジスタユニットにおけるそれに接続される走査ゲートラインをプルアップ及びプルダウンするためのトランジスタは別個に設計されており、この二つのトランジスタは当該シフトレジスタユニットにおける他のトランジスタのサイズより格段に大きく、したがって、このようなシフトレジスタユニットが占める面積は大きく、そのため、当該シフトレジスタユニットを支えるガラス基板の面積が大きくなり、原材料の消耗の増大を招き、よって当該シフトレジスタユニット及び当該シフトレジスタユニットを含む表示装置を製造するコストが高くなってしまう。
【発明の概要】
【０００７】
本発明の実施例は、シフトレジスタユニット及び表示装置を提供し、従来のシフトレジスタユニットが異なる二つのトランジスタによって当該シフトレジスタユニットに接続される走査ゲートラインのレベルをそれぞれプルアップ及びダウンさせていたことにより、シフトレジスタユニットが占める面積が大きく、そのため当該シフトレジスタユニットを製造する際の原材料の消耗が大きく、よって当該シフトレジスタユニット及び当該シフトレジスタユニットを含む表示装置を製造する際のコストが高い問題を解決する。
【０００８】
上記の問題に基づいて、本発明の実施例が提供するシフトレジスタユニットは、第１のコンデンサと、第１のトランジスタと、プルアップモジュールと、第１のプルダウンモジュールと、を有し、
第１のトランジスタの第１電極がクロック信号を受け付け、第１のトランジスタのゲート電極が第１のコンデンサの一端、プルアップモジュール及び第１のプルダウンモジュールにそれぞれ接続され、第１のトランジスタの第２電極が第１のコンデンサの他端に接続され、
プルアップモジュールは、クロック信号が第２レベルの信号であり且つプルアップ選択信号が第１レベルの信号であるときは、第１のトランジスタのゲート電極に第１レベルの信号を出力し、クロック信号が第１レベルの信号であり且つプルアップ選択信号が第２レベルの信号であるときは、第１のトランジスタのゲート電極に第１レベルの信号を出力せず、前記プルアップ選択信号は前記シフトレジスタユニットの一段前のシフトレジスタユニットが出力する信号であり、
第１のプルダウンモジュールは、クロック信号が第１レベルの信号であり且つ第１のプルダウン選択信号が第１レベルの信号であるときは、第１のトランジスタのゲート電極と第２レベル信号入力端が連結するように制御し、前記第１のプルダウン選択信号は、前記シフトレジスタユニットの後の第２段のシフトレジスタユニットが出力する信号であり、
第１のトランジスタは、第１のトランジスタのゲート電極の信号が第１レベルの信号であるときは、受け付けたクロック信号を第１のトランジスタの第２電極から出力し、且つ前記第１のトランジスタのゲート電極の信号が第２レベルの信号であるときは、受け付けたクロック信号を第１のトランジスタの第２電極から出力しない。
【０００９】
本発明の実施例は、さらに、本発明の実施例が提供するシフトレジスタユニットを含む表示装置を提供する。
【００１０】
本発明の実施例が提供するシフトレジスタユニット及び表示装置によれば、当該シフトレジスタユニットが一段前のシフトレジスタユニットが出力した第１レベルの信号を受け付けたとき、当該シフトレジスタユニットにおける第１のトランジスタがオンになり、第１のトランジスタの第２の電極が当該シフトレジスタユニットの出力端であるため、第１のトランジスタがオンのとき、当該シフトレジスタユニットに接続される走査ゲートラインが選択される。当該シフトレジスタユニットがその一段前のシフトレジスタユニットが出力する第２レベルの信号を受け付けたときは、プルアップモジュールは第１のトランジスタのゲート電極に第１レベルの信号を出力しなくなるが、第１のコンデンサの格納作用により、当該シフトレジスタユニットにおける第１のトランジスタのゲート電極の信号は依然として第１レベルの信号であり、第１のトランジスタはオンを維持し、且つ受け付けたレベルが第１レベルであるクロック信号を出力し、これにより当該シフトレジスタユニットの一段後のシフトレジスタユニットに接続される走査ゲートラインが選択される。シフトレジスタユニットが当該シフトレジスタユニットの後の第２段のシフトレジスタユニットが出力する第１レベルの信号を受け付けたときは、当該シフトレジスタユニットにおける第１のトランジスタのゲート電極の信号が第２レベルの信号であるため、第１のトランジスタがオフになり、当該シフトレジスタユニットに接続されるゲートラインは選択されなくなり、これにより順次に各段のシフトレジスタユニットに接続される走査ゲートラインを選択する機能を実現する。当該シフトレジスタユニットに接続される走査ゲートラインが選択される時間帯は、当該シフトレジスタユニットが一段前のシフトレジスタユニットの出力した第１レベルの信号を受け付けた時刻から、当該シフトレジスタユニットがその後の第２段のシフトレジスタユニットの出力する第１レベルの信号を受け付けた時刻までの間の時間帯であり、この時間帯の長さはクロック信号の一周期半であり、当該シフトレジスタユニットに接続される走査ゲートラインが選択される時間帯において、当該シフトレジスタユニットにおける第１のトランジスタはオンであり、これにより受け付けたクロック信号は当該シフトレジスタユニットに接続される走査ゲートラインに伝送される。したがって、当該走査ゲートライン上のレベルが第２レベルから第１レベルに変化し、及び第１レベルから第２レベルに変化するのは、いずれも当該シフトレジスタユニットの第１のトランジスタによって実現されており、つまり、当該シフトレジスタユニットはその中の第１のトランジスタによって当該シフトレジスタユニットに接続される走査ゲートラインのレベルのプルアップとプルダウンを実現させ、これにより当該走査ゲートラインを充放電するトランジスタの数量を減らし、よって当該シフトレジスタユニットのサイズを小さくし、当該シフトレジスタユニットを製造する際の原材料を節約し、当該シフトレジスタユニット及び当該シフトレジスタユニットを含む表示装置をを製造するコストを低減させる。
【図面の簡単な説明】
【００１１】
【図１】従来技術におけるシフトレジスタユニットの構造模式図。
【図２】本発明の実施例が提供するシフトレジスタユニットの構造模式図その１。
【図３】本発明の実施例が提供するシフトレジスタユニットの構造模式図その２。
【図４】本発明の実施例が提供するシフトレジスタユニットの構造模式図その３。
【図５】本発明の実施例が提供するシフトレジスタユニットの構造模式図その４。
【図６】本発明の実施例が提供するシフトレジスタユニットの構造模式図その５。
【図７】本発明の実施例が提供するシフトレジスタユニットの構造模式図その６。
【図８】本発明の実施例が提供するシフトレジスタユニットの構造模式図その７。
【図９】本発明の実施例が提供するシフトレジスタユニットの構造模式図その８。
【図１０】本発明の実施例が提供するシフトレジスタユニットの構造模式図その９。
【図１１】本発明の実施例が提供するシフトレジスタユニットの作業シーケンス図。
【発明を実施するための形態】
【００１２】
本発明の実施例が提供するシフトレジスタユニット及び表示装置は、シフトレジスタユニットにける第１のトランジスタによって当該シフトレジスタユニットに接続される走査ゲートラインのレベルのプルアップとダウンを実現させ、これにより当該走査ゲートラインを充放電するトランジスタの数量を減らし、よって当該シフトレジスタユニットのサイズを小さくし、当該シフトレジスタユニットを製造する際の原材料を節約し、当該シフトレジスタユニット及び当該シフトレジスタユニットを含む表示装置を製造するコストを低減させる。
【００１３】
以下に明細書に付属する図面を用いて本発明の実施例が提供するシフトレジスタユニット及び表示装置の具体的な実施形態を説明する。
【００１４】
本発明の実施例が提供するシフトレジスタユニットは、図２に示すように、第１のコンデンサＣ１と、第１のトランジスタＭ１と、プルアップモジュール２１と、第１のプルダウンモジュール２２と、を有し、第１のトランジスタＭ１の第１電極はクロック信号ＣＬＫを受け付け、第１のトランジスタＭ１のゲート電極は第１のコンデンサＣ１の一端、プルアップモジュール２１、第１のプルダウンモジュール２２にそれぞれ接続され、第１のトランジスタＭ１の第２電極は第１のコンデンサＣ１の他端に接続され、第１のトランジスタＭ１のゲート電極はプルアップノードＰＵであり、ただし第１のトランジスタＭ１の第２電極は当該シフトレジスタユニットの出力端であり、当該シフトレジスタユニットが第ｎ段のシフトレジスタユニットである場合は、その出力端が出力する信号はＯＵＴ（ｎ）である。
【００１５】
プルアップモジュール２１は、クロック信号ＣＬＫが第２レベルの信号であり且つプルアップ選択信号が第１レベルの信号であるときは、第１のトランジスタＭ１のゲート電極に第１レベルの信号を出力し、クロック信号ＣＬＫが第１レベルの信号であり且つプルアップ選択信号が第２レベルの信号であるときは、第１のトランジスタＭ１のゲート電極に第１レベルの信号を出力せず、当該プルアップ選択信号は当該シフトレジスタユニットの一段前のシフトレジスタユニットの出力端が出力する信号であり、当該シフトレジスタユニットが第ｎ段のシフトレジスタユニットである場合は、当該シフトレジスタユニットが受け付けたプルアップ選択信号は第ｎ−１段のシフトレジスタユニットが出力する信号ＯＵＴ（ｎ−１）である。
【００１６】
第１のプルダウンモジュール２２は、クロック信号ＣＬＫが第１レベルの信号であり且つ第１のプルダウン選択信号が第１レベルの信号であるときは、第１のトランジスタＭ１のゲート電極と第２レベルの信号の入力端が連結するように制御し、当該第１のプルダウン選択信号は、当該シフトレジスタユニットの後の第２段のシフトレジスタユニットが出力する信号であり、当該シフトレジスタユニットが第ｎ段のシフトレジスタユニットである場合は、当該シフトレジスタユニットが受け付けた第１のプルダウン選択信号は、第ｎ＋２段のシフトレジスタユニットが出力する信号ＯＵＴ（ｎ＋２）である。
【００１７】
第１のトランジスタＭ１は、第１のトランジスタＭ１のゲート電極の信号が第１レベルの信号であるときは、受け付けたクロック信号ＣＬＫを第１のトランジスタＭ１の第２電極すなわち当該シフトレジスタユニットの出力端から出力し、且つ第１のトランジスタＭ１のゲート電極の信号が第２レベルの信号であるときは、受け付けたクロック信号ＣＬＫを第１のトランジスタＭ１の第２電極すなわち当該シフトレジスタユニットの出力端から出力しない。
【００１８】
当該シフトレジスタユニットが第ｎ段のシフトレジスタユニットである場合は、当該シフトレジスタユニットの一段前のシフトレジスタユニットが出力する信号ＯＵＴ（ｎ−１）が第１レベルの信号であり、すなわち第ｎ段のシフトレジスタユニットにおける第１のトランジスタＭ１のゲート電極が受け付けたプルアップ選択信号が第１レベルの信号であるときにオンになり、第ｎ段のシフトレジスタユニットに接続される走査ゲートラインが選択され、よって第ｎ段のシフトレジスタユニットにおける第１のトランジスタＭ１は受け付けたクロック信号ＣＬＫを第ｎ段のシフトレジスタユニットと接続されている走査ゲートライン上に出力し、このときクロック信号ＣＬＫは第２レベルの信号であるため、当該走査ゲートラインのレベルは第２レベルである。第ｎ−１段のシフトレジスタユニットが出力する信号ＯＵＴ（ｎ−１）が第２レベルの信号であるときは、第ｎ段のシフトレジスタユニットにおける第１のトランジスタＭ１のゲート電極は第１レベルの信号を受け付けなくなるが、第１のコンデンサＣ１の格納作用により、第１のトランジスタＭ１のゲート電極の信号は第１レベルの信号を維持し、したがって第ｎ段のシフトレジスタユニットにおける第１のトランジスタＭ１は受け付けたクロック信号ＣＬＫを第ｎ段のシフトレジスタユニットと接続している走査ゲートライン上に出力し、このときのクロック信号ＣＬＫは第１レベルの信号であるため、当該走査ゲートラインのレベルは第１レベルであり、これにより第ｎ段のシフトレジスタユニットにおける第１のトランジスタＭ１によって当該走査ゲートラインのレベルを第２レベルから第１レベルに変化させる機能を実現させる。
【００１９】
第ｎ段のシフトレジスタユニットが出力する信号ＯＵＴ（ｎ）は同時に第ｎ＋１段のシフトレジスタユニットが受け付けるプルアップ選択信号であるため、第ｎ段のシフトレジスタユニットが出力する信号ＯＵＴ（ｎ）が第１レベルの信号であるときは、第ｎ＋１段のシフトレジスタユニットが受け付けるプルアップ選択信号は第１レベルの信号であり、第ｎ＋１段のシフトレジスタユニットと第ｎ段のシフトレジスタユニットは同一の原理に従って作業し、すなわち第ｎ＋１段のシフトレジスタユニットはその受け付けたクロック信号ＣＬＫを出力し、すなわちまず第２レベルの信号を出力し、その後第１レベルの信号を出力する。第ｎ＋１段のシフトレジスタユニットが第１レベルの信号を出力するときは、隣接する二段のシフトレジスタユニットが受け付けるクロック信号のレベルが反対であるため、第ｎ段のシフトレジスタユニットにおける第１のトランジスタＭ１の第１電極が受け付けるクロック信号ＣＬＫは第２レベルの信号であり、このとき第ｎ段のシフトレジスタユニットにおける第１のトランジスタＭ１のゲート電極の信号は第１のコンデンサＣ１の格納作用により依然として第１レベルの信号であり、つまり第ｎ段のシフトレジスタユニットにおける第１のトランジスタＭ１はオンであり、その第１電極と第２電極の間の導通を維持する。第ｎ段のシフトレジスタユニットにおける第１のトランジスタＭ１の第２電極、すなわち第ｎ段のシフトレジスタユニットの出力端に接続される走査ゲートラインの前のレベルは第１レベルであり、オンを維持する第１のトランジスタＭ１は第ｎ段のシフトレジスタユニットに接続される走査ゲートラインのレベルを第１レベルから第２レベルに変化させ、これにより第ｎ段のシフトレジスタユニットにおける第１のトランジスタＭ１によって第ｎ段のシフトレジスタユニットに接続される走査ゲートラインのレベルをプルアップ及びダウンする機能を実現させる。
【００２０】
第ｎ段のシフトレジスタユニットの後の第２段のシフトレジスタユニットすなわち第ｎ＋２段のシフトレジスタユニットが受け付けるプルアップ選択信号すなわち第ｎ＋１段のシフトレジスタユニットが出力する信号が第１レベルの信号である場合は、第ｎ＋２段のシフトレジスタユニットと第ｎ段のシフトレジスタユニットは同一の原理にしたがって作業し、すなわち第ｎ＋２段のシフトレジスタユニットは受け付けたクロック信号ＣＬＫを出力し、すなわちまず第２レベルの信号を出力し、その後第１レベルの信号を出力し、隣接する二段のシフトレジスタユニットが受け付けるクロック信号のレベルが反対であるため、第ｎ段のシフトレジスタユニットと第ｎ＋２段のシフトレジスタユニットが受け付けるクロック信号は同一である。第ｎ＋２段のシフトレジスタユニットが第１レベルの信号を出力するときは、第ｎ段のシフトレジスタユニットが受け付けるクロック信号も第１レベルの信号であり、このとき第ｎ段のシフトレジスタユニットにおける第１のトランジスタＭ１は受け付けたクロック信号を第ｎ段のシフトレジスタユニットの出力端から出力しなくなり、よって第ｎ段のシフトレジスタユニットに接続される走査ゲートラインを選択しなくなり、これにより順次に各シフトレジスタユニットに接続される走査ゲートラインを選択する機能が実現される。当該シフトレジスタユニットはその第１のトランジスタＭ１によって第ｎ段のシフトレジスタユニットに接続される走査ゲートラインのレベルのプルアップ及びダウンの機能を実現させるため、従来のシフトレジスタユニットと比べて、当該走査ゲートラインに対して充放電するトランジスタの数量を減らし、よって当該シフトレジスタユニットのサイズを小さくし、当該シフトレジスタユニットを製造するときの原材料を節約し、当該シフトレジスタユニット及び当該シフトレジスタユニットを含む表示装置を製造するコストを低減させる。
【００２１】
さらに、図３に示すように、本発明の実施例が提供するシフトレジスタユニットはさらに第２のプルダウンモジュール２４を有する。第２のプルダウンモジュール２４は第１のトランジスタＭ１のゲート電極と第１のトランジスタＭ１の第２電極にそれぞれ接続され、前記第２のプルダウンモジュール２４は、第１のトランジスタＭ１のゲート電極の信号が第２レベルの信号であり、クロック信号ＣＬＫが第１レベルの信号であり且つクロック阻害信号ＣＬＫＢが第２レベルの信号であるときは、第１のトランジスタＭ１のゲート電極と第１のトランジスタＭ１の第２電極のいずれも第２レベル信号入力端２３と連結するように制御する。また第１のトランジスタＭ１のゲート電極の信号が第２レベルの信号であり、クロック信号ＣＬＫが第２レベルの信号であり、且つクロック阻害信号ＣＬＫＢが第１レベルの信号であるときは、第１のトランジスタＭ１のゲート電極と第１のトランジスタＭ１の第２電極のいずれも第２レベル信号入力端２３と切断するように制御する。そして第１のトランジスタＭ１のゲート電極の信号が第１レベルの信号であるときは、第１のトランジスタＭ１のゲート電極と第１のトランジスタＭ１の第２電極のいずれも第２レベル信号入力端２３と切断するように制御する。
【００２２】
さらに、図３に示すように、本発明の実施例が提供するシフトレジスタユニットは、さらに、第３のプルダウンモジュール２５と、を有する。第３のプルダウンモジュール２５は第１のトランジスタＭ１のゲート電極と第１のトランジスタＭ１の第２電極にそれぞれ接続され、第３のプルダウンモジュール２５は、プルアップ選択信号が第１レベルの信号であり、又は第２のプルダウン選択信号が第１レベルの信号であり、又はクロック阻害信号ＣＬＫＢが第２レベルの信号であるときは、第１のトランジスタＭ１のゲート電極と第１のトランジスタＭ１の第２電極のいずれも第２レベル信号入力端２３と切断するように制御する。またプルアップ選択信号、第１のプルダウン選択信号及び第２のプルダウン選択信号のいずれも第２レベルの信号であり、且つクロック信号ＣＬＫが第２レベルの信号であり、クロック阻害信号ＣＬＫＢが第１レベルの信号であるときは、第１のトランジスタＭ１のゲート電極と第１のトランジスタＭ１の第２電極のいずれも第２レベル信号入力端２３と連結するように制御する。ただし、第２のプルダウン選択信号は当該シフトレジスタユニットの一段後のシフトレジスタユニットの出力端が出力する信号である。
【００２３】
本発明の実施例が提供するシフトレジスタユニットが第ｎ段のシフトレジスタユニットであるときは、本発明の実施例が提供するシフトレジスタユニットが受け付けるプルアップ選択信号は第ｎ−１段のシフトレジスタユニットが出力する信号であり、本発明の実施例が提供するシフトレジスタユニットが受け付ける第１のプルダウン選択信号は第ｎ＋２段のシフトレジスタユニットが出力する信号であり、本発明の実施例が提供するシフトレジスタユニットが受け付ける第２のプルダウン選択信号は第ｎ＋１段のシフトレジスタユニットが出力する信号である。
【００２４】
本発明の実施例が提供するシフトレジスタユニットは、第２のプルダウンモジュールのみを有してもよく、また第３のプルダウンモジュールのみを有してもよい。好ましくは、本発明の実施例が提供するシフトレジスタユニットは第２のプルダウンモジュールを有し、且つ第３のプルダウンモジュールを有しており、そうすれば本発明の実施例が提供するシフトレジスタユニットに接続される走査ゲートラインが選択されていない時間帯内に、第２のプルダウンモジュールは、本発明の実施例が提供するシフトレジスタユニットが受け付けたクロック信号が第１レベルの信号であり且つクロック阻害信号が第２レベルの信号であるときに、本発明の実施例が提供するシフトレジスタユニットにおける第１のトランジスタＭ１のゲート電極及び当該シフトレジスタユニットの出力端をそれぞれ第２レベル信号入力端と連結する。第３のプルダウンモジュールは、本発明の実施例が提供するシフトレジスタユニットが受け付けたクロック信号が第２レベルの信号であり、且つクロック阻害信号が第１レベルの信号であるときに、本発明の実施例が提供するシフトレジスタユニットにおける第１のトランジスタＭ１のゲート電極及び当該シフトレジスタユニットの出力端をそれぞれ第２レベル信号入力端と連結する。そうすれば本発明の実施例が提供するシフトレジスタユニットに接続される走査ゲートラインが選択されていない時間帯内に、第２レベル信号入力端によってクロック信号が発生させる結合ノイズを解消することができ、当該シフトレジスタユニットに接続される走査ゲートラインに出力されなくなり、当該シフトレジスタユニットの出力端が安定した電圧信号を出力することを保証できる。同時に、第２のプルダウンモジュールと第３のプルダウンモジュールが交替して本発明の実施例が提供するシフトレジスタユニットにおける第１のトランジスタＭ１のゲート電極及び当該シフトレジスタユニットの出力端をそれぞれ第２レベル信号入力端に連結させるため、第２のプルダウンモジュールと第３のプルダウンモジュールにおけるトランジスタが長時間オン状態となることによりこれらの長時間オン状態となるトランジスタの閾値電圧に偏りが生じる問題を克服し、シフトレジスタユニットの使用寿命を延長させる。また、第２のプルダウンモジュールと第３のプルダウンモジュールはシフトレジスタユニットに接続される走査ゲートラインを充放電させないため、第２のプルダウンモジュールと第３のプルダウンモジュールにおけるトランジスタは小さいものを製造することができる。本発明の実施例が提供するシフトレジスタユニットは、第２のプルダウンモジュールと第３のプルダウンモジュールを有しても、従来の二つのトランジスタによってそれに接続される走査ゲートラインの電圧をそれぞれ上昇、低下させるシフトレジスタユニット、例えば図１に示すようなシフトレジスタユニットと比べて小型である。
【００２５】
さらに、図４に示すように、本発明の実施例が提供するシフトレジスタユニットにおける第２のプルダウンモジュールは第１のプルダウン駆動ユニット２４１と第１のプルダウンユニット２４２と、を有する。第１のプルダウン駆動ユニット２４１と第１のプルダウンユニット２４２が接続する接続ポイントは第１のプルダウンノードＰＤ１である。第１のプルダウン駆動ユニット２４１は、第１のトランジスタＭ１のゲート電極の信号が第１レベルの信号であるときは、第１のプルダウンノードＰＤ１の信号が第２レベルの信号になるように制御する。また第１のトランジスタＭ１のゲート電極の信号が第２レベルの信号であり、クロック信号ＣＬＫが第１レベルの信号であり、且つクロック阻害信号ＣＬＫＢが第２レベルの信号であるときは、第１のプルダウンノードＰＤ１の信号が第１レベルの信号になるように制御する。また、第１のトランジスタＭ１のゲート電極の信号が第２レベルの信号であり、クロック信号ＣＬＫが第２レベルの信号であり、且つクロック阻害信号ＣＬＫＢが第１レベルの信号であるときは、第１のプルダウンノードＰＤ１の信号が第２レベルの信号になるように制御する。第１のプルダウンユニット２４２は、第１のプルダウンノードＰＤ１の信号が第１レベルの信号であるときは、第１のトランジスタＭ１のゲート電極と第１のトランジスタＭ１の第２電極のいずれも第２レベル信号入力端と連結するように制御する。また第１のプルダウンノードの信号が第２レベルの信号ＰＤ２であるときは、第１のトランジスタＭ１のゲート電極と第１のトランジスタＭ１の第２電極のいずれも第２レベル信号入力端２３と切断するように制御する。
【００２６】
さらに、図４に示すように、本発明の実施例が提供するシフトレジスタユニットにおける第３のプルダウンモジュールは、第２のプルダウン駆動ユニット２５１と、第２のプルダウンユニット２５２と、を有する。第２のプルダウン駆動ユニット２５１と第２のプルダウンユニット２５２が接続する接続ポイントは第２のプルダウンノードＰＤ２である。第２のプルダウン駆動ユニット２５１は、プルアップ選択信号が第１レベルの信号であり、又は第２のプルダウン選択信号が第１レベルの信号であり、又はクロック阻害信号ＣＬＫＢが第２レベルの信号であるときは、第２のプルダウンノードＰＤ２の信号が第２レベルの信号になるように制御する。また、プルアップ選択信号、第１のプルダウン選択信号及び第２のプルダウン選択信号のいずれも第２レベルの信号であり、且つクロック信号ＣＬＫが第２レベルの信号であり、クロック阻害信号ＣＬＫＢが第１レベルの信号であるときは、第２のプルダウンノードＰＤ２の信号が第１レベルの信号になるように制御する。第２のプルダウンユニットは、第２のプルダウンノードＰＤ２の信号が第１レベルの信号であるときは、第１のトランジスタＭ１のゲート電極と第１のトランジスタＭ１の第２電極のいずれも第２レベル信号入力端２３と連結するように制御する。また第２のプルダウンノードＰＤ２の信号が第２レベルの信号であるときは、第１のトランジスタＭ１のゲート電極と第１のトランジスタＭ１の第２電極のいずれも第２レベル信号入力端２３と切断するように制御する。
【００２７】
さらに、図５に示すように、本発明の実施例が提供するシフトレジスタユニットにおける第１のプルダウン駆動ユニットは、第２のトランジスタＭ２と、第３のトランジスタＭ３と、第４のトランジスタＭ４と、を有する。第２のトランジスタＭ２の第１電極はクロック信号ＣＬＫを受け付け、第２のトランジスタＭ２のゲート電極はクロック信号ＣＬＫを受け付け、第２のトランジスタＭ２の第２電極は第１のプルダウンノードＰＤ１に接続され、第３のトランジスタＭ３の第１電極はクロック信号ＣＬＫを受け付け、第３のトランジスタＭ３のゲート電極はクロック阻害信号ＣＬＫＢを受け付け、第３のトランジスタＭ３の第２電極は第１のプルダウンノードＰＤ１に接続され、第４のトランジスタＭ４の第１電極は第１のプルダウンノードＰＤ１に接続され、第４のトランジスタＭ４のゲート電極は第１のトランジスタＭ１のゲート電極に接続されすなわちプルアップノードＰＵに接続され、第４のトランジスタの第２電極は第２レベル信号入力端２３に接続される。第２のトランジスタＭ２は、クロック信号ＣＬＫが第１レベルの信号であるときにオンになり、且つクロック信号ＣＬＫが第２レベルの信号であるときにオフになる。第３のトランジスタＭ３は、クロック阻害信号ＣＬＫＢが第１レベルの信号であるときにオンになり、且つクロック阻害信号ＣＬＫＢが第２レベルの信号であるときにオフになる。第４のトランジスタＭ４は、第１のトランジスタＭ１のゲート電極の信号が第１レベルの信号であるときは、第１のプルダウンノードＰＤ１と第２レベル信号入力端２３を連結させる。また第１のトランジスタＭ１のゲート電極の信号が第２レベルの信号であるときは、第１のプルダウンノードＰＤ１と第２レベル信号入力端２３を切断させる。
【００２８】
さらに、図６に示すように、本発明の実施例が提供するシフトレジスタユニットにおける第１のプルダウンユニットは、第５のトランジスタＭ５と、第６のトランジスタＭ６と、を有する。第５のトランジスタＭ５の第１電極は第１のトランジスタＭ１のゲート電極に接続され、第５のトランジスタＭ５のゲート電極は第１のプルダウンノードＰＤ１に接続され、第５のトランジスタＭ５の第２電極は第２レベル信号入力端２３に接続される。第６のトランジスタＭ６の第１電極は第１のトランジスタＭ１の第２電極に接続されすなわち当該シフトレジスタユニットの出力端に接続され、第６のトランジスタＭ６のゲート電極は第１のプルダウンノードＰＤ１に接続され、第６のトランジスタＭ６の第２電極は第２レベル信号入力端２３に接続される。第５のトランジスタＭ５は、第１のプルダウンノードＰＤ１の信号が第１レベルの信号であるときにオンになり、第１のトランジスタＭ１のゲート電極と第２レベル信号入力端２３を連結させ、また第１のプルダウンノードの信号が第２レベルの信号であるときにオフになり、第１のトランジスタＭ１のゲート電極と第２レベル信号入力端２３を切断させる。第６のトランジスタＭ６は、第１のプルダウンノードＰＤ１の信号が第１レベルの信号であるときにオンになり、第１のトランジスタＭ１の第２電極と第２レベル信号入力端２３を連結させ、また第１のプルダウンノードＰＤ１の信号が第２レベルの信号であるときにオフになり、第１のトランジスタＭ１の第２電極と第２レベル信号入力端２３を切断させる。
【００２９】
さらに、図７に示すように、本発明の実施例が提供するシフトレジスタユニットにおける第２のプルダウン駆動ユニットは、第７のトランジスタＭ７と、第８のトランジスタＭ８と、第９のトランジスタＭ９と、第１０のトランジスタＭ１０と、第１１のトランジスタＭ１１と、第１２のトランジスタＭ１２と、を有する。第７のトランジスタＭ７の第１電極はクロック阻害信号ＣＬＫＢを受け付け、第７のトランジスタＭ７のゲート電極はクロック信号ＣＬＫを受け付け、第７のトランジスタＭ７の第２電極は第２のプルダウンノードＰＤ２に接続される。第８のトランジスタＭ８の第１電極はクロック阻害信号ＣＬＫＢを受け付け、第８のトランジスタＭ８のゲート電極はクロック阻害信号ＣＬＫＢを受け付け、第８のトランジスタＭ８の第２電極は第２のプルダウンノードＰＤ２に接続される。第９のトランジスタＭ９の第１電極はプルアップ選択信号を受け付け、第９のトランジスタＭ９のゲート電極はプルアップ選択信号を受け付け、第９のトランジスタＭ９の第２電極は第１２のトランジスタＭ１２のゲート電極に接続される。第１０のトランジスタＭ１０の第１電極は第２のプルダウン選択信号を受け付け、第１０のトランジスタＭ１０のゲート電極は第２のプルダウン選択信号を受け付け、第１０のトランジスタＭ１０の第２電極は第１２のトランジスタＭ１２のゲート電極に接続される。第１１のトランジスタＭ１１の第１電極は第１２のトランジスタＭ１２のゲート電極に接続され、第１１のトランジスタＭ１１のゲート電極は第１のプルダウン選択信号を受け付け、第１１のトランジスタＭ１１の第２電極は第２レベル信号入力端２３に接続される。第１２のトランジスタＭ１２の第１電極は第２のプルダウンノードＰＤ２に接続され、第１２のトランジスタＭ１２の第２電極は第２レベル信号入力端２３に接続される。
【００３０】
第７のトランジスタＭ７は、クロック信号ＣＬＫが第１レベルの信号であるときにオンになり、且つクロック信号ＣＬＫが第２レベルの信号であるときにオフになる。第８のトランジスタＭ８は、クロック阻害信号ＣＬＫＢが第１レベルの信号であるときにオンになり、且つクロック阻害信号ＣＬＫＢが第２レベルの信号であるときにオフになる。第９のトランジスタＭ９は、プルアップ選択信号が第１レベルの信号であるときにオンになり、第１２のトランジスタＭ１２のゲート電極の信号を第１レベルの信号にさせ、且つプルアップ選択信号が第２レベルの信号であるときにオフになる。第１０のトランジスタＭ１０は、第２のプルダウン選択信号が第１レベルの信号であるときにオンになり、第１２のトランジスタＭ１２のゲート電極の信号を第１レベルの信号にさせ、且つ第２のプルダウン選択信号が第２レベルの信号であるときにオフになる。第１１のトランジスタＭ１１は、第１のプルダウン選択信号が第１レベルの信号であるときにオンになり、第１２のトランジスタＭ１２のゲート電極と第２レベル信号入力端を連結させ、且つ第１のプルダウン選択信号が第２レベルの信号であるときにオフになり、第１２のトランジスタＭ１２のゲート電極と第２レベル信号入力端を切断させる。第１２のトランジスタＭ１２は、第１２のトランジスタＭ１２のゲート電極の信号が第１レベルの信号であるときに第２のプルダウンノードＰＤ２と第２レベル信号入力端２３を連結させ、第１２のトランジスタＭ１２のゲート電極の信号が第２レベルの信号であるときに第２のプルダウンノードＰＤ２と第２レベル信号入力端２３を切断させる。
【００３１】
さらに、図８に示すように、本発明の実施例が提供するシフトレジスタユニットにける第２のプルダウンユニットは、第１３のトランジスタＭ１３と、第１４のトランジスタＭ１４と、を有する。第１３のトランジスタＭ１３の第１電極は第１のトランジスタＭ１のゲート電極に接続されすなわちプルアップノードＰＵに接続され、第１３のトランジスタＭ１３のゲート電極は第２のプルダウンノードＰＤ２に接続され、第１３のトランジスタＭ１３の第２電極は第２レベル信号入力端２３に接続される。第１４のトランジスタＭ１４の第１電極は第１のトランジスタＭ１の第２電極に接続されすなわち当該シフトレジスタユニットの出力端に接続され、第１４のトランジスタＭ１４のゲート電極は第２のプルダウンノードＰＤ２に接続され、第１４のトランジスタＭ１４の第２電極は第２レベル信号入力端２３に接続される。
【００３２】
第１３のトランジスタＭ１３は、第２のプルダウンノードＰＤ２の信号が第１レベルの信号であるときにオンになり、第１のトランジスタＭ１のゲート電極と第２レベル信号入力端２３を連結させ、且つ第２のプルダウンノードＰＤ２の信号が第２レベルの信号であるときにオフになり、第１のトランジスタＭ１のゲート電極と第２レベル信号入力端を切断させる。第１４のトランジスタＭ１４は、第２のプルダウンノードＰＤ２の信号が第１レベルの信号であるときにオンになり、第１のトランジスタＭ１の第２電極と第２レベル信号入力端２３を連結させ、且つ第２のプルダウンノードＰＤ２の信号が第２レベルの信号であるときにオフになり、第１のトランジスタＭ１の第２電極と第２レベル信号入力端２３を切断させる。
【００３３】
さらに、図９に示すように、本発明の実施例が提供するシフトレジスタユニットにおけるプルアップモジュールは、第１５のトランジスタＭ１５を有する。第１５のトランジスタＭ１５の第１電極はプルアップ選択信号を受け付け、第１５のトランジスタＭ１５のゲート電極はプルアップ選択信号を受け付け、第１５のトランジスタＭ１５の第２電極は第１のトランジスタＭ１のゲート電極に接続される。第１５のトランジスタＭ１５は、プルアップ選択信号が第１レベルの信号であるときにオンになり、第１のトランジスタＭ１のゲート電極の信号を第１レベルの信号にさせる。またプルアップ選択信号が第２レベルの信号であるときにオフになる。
【００３４】
さらに、図９に示すように、本発明の実施例が提供するシフトレジスタユニットにおける第１のプルダウンモジュールは、第１６のトランジスタＭ１６を有する。第１６のトランジスタＭ１６の第１電極は第１のトランジスタＭ１のゲート電極に接続され、第１６のトランジスタＭ１６のゲート電極は第１のプルダウン選択信号を受け付け、第１６のトランジスタＭ１６の第２電極は第２レベル信号入力端２３に接続されすなわちプルアップノードＰＵに接続される。第１６のトランジスタＭ１６は、第１のプルダウン選択信号が第１レベルの信号であるときにオンになり、第１のトランジスタＭ１のゲート電極を第２レベル信号入力端と連結させる。また第１のプルダウン選択信号が第２レベルの信号であるときにオフになる。
【００３５】
さらに、図１０に示すように、本発明の実施例が提供するシフトレジスタユニットにおいて、さらに第１７のトランジスタＭ１７を有する。第１７のトランジスタＭ１７の第１電極は第１のトランジスタＭ１の第２電極すなわち当該シフトレジスタユニットの出力端に接続され、第１７のトランジスタＭ１７のゲート電極は第２のプルダウン選択信号を受け付け、第１７のトランジスタＭ１７の第２電極は第２レベル信号入力端２３に接続される。第１７のトランジスタＭ１７は、第２のプルダウン選択信号が第１レベルの信号であるときにオンになり、第１のトランジスタＭ１の第２電極すなわち当該シフトレジスタユニットの出力端と第２レベル信号入力端を連結させ、第１のトランジスタＭ１と共に当該シフトレジスタユニットに接続される走査ゲートラインのレベルを第１レベルから第２レベルに変化させる。また第２のプルダウン選択信号が第２レベルの信号であるときにオフになる。
【００３６】
液晶表示分野又は有機発光ダイオード（ＯＬＥＤ：Ｏｒｇａｎｉｃ  Ｌｉｇｈｔ−Ｅｍｉｔｔｉｎｇ  Ｄｉｏｄｅ）分野のトランジスタについては、ドレイン電極とソース電極は明確な区別がないため、本発明の実施例において言及されるトランジスタの第１電極はトランジスタのソース電極（又はドレイン電極）であってもよく、トランジスタの第２電極はトランジスタのドレイン電極（またはソース電極）であってもよい。トランジスタのソース電極が第１電極である場合は、当該トランジスタのドレイン電極は第２電極であり、トランジスタのドレイン電極が第１電極である場合は、当該トランジスタのソース電極は第２電極である。
【００３７】
本発明の実施例において言及されるトランジスタがＮ型トランジスタである場合は、第１レベルの信号は高レベルの信号であり、第２レベルの信号は低レベルの信号であり、第２レベル信号入力端は低レベル信号入力端である。本発明の実施例において言及されるトランジスタがＰ型トランジスタである場合は、第１レベルの信号は低レベルの信号であり、第２レベルの信号は高レベルの信号であり、第２レベル信号入力端は高レベル信号入力端である。
【００３８】
本発明の実施例が提供するシフトレジスタユニットをさらに説明するため、以下に本発明の実施例により言及されるトランジスタがＮ型トランジスタであることを例にとり、図１１に示すシーケンス図を用いて本発明の実施例が提供するシフトレジスタユニットの作業原理を説明する。ただし、第１レベルの信号は高レベル信号であり、第２レベルの信号は低レベルの信号であり、第２レベル信号入力端は低レベル信号入力端である。
【００３９】
図１１に示すように、第ｎ段のシフトレジスタユニットを例にとれば、本発明の実施例が提供するシフトレジスタユニット（図９と図１０）の作業シーケンスは六つの段階を含む。ただし、プルアップ選択信号は第ｎ−１段のシフトレジスタユニットが出力する信号ＯＵＴ（ｎ−１）であり、第１のプルダウン選択信号は第ｎ＋２段のシフトレジスタユニットが出力する信号ＯＵＴ（ｎ＋２）であり、第２のプルダウン選択信号は第ｎ＋１段のシフトレジスタユニットが出力する信号ＯＵＴ（ｎ＋１）である。
【００４０】
第１段階：クロック信号ＣＬＫは低レベルの信号であり、クロック阻害信号ＣＬＫＢは高レベルの信号であり、プルアップ選択信号は高レベルの信号であり、第１５のトランジスタＭ１５はオンになり、第１のプルダウン選択信号は低レベルの信号になり、第１６のトランジスタＭ１６はオフになる。同時に、プルアップノードＰＵの信号が高レベルの信号であるため、第４のトランジスタＭ４はオンになり、第１のプルダウンノードＰＤ１は第２レベル信号入力端２３すなわち低レベル信号入力端と連結され、第１のプルダウンノードＰＤ１の信号が低レベルの信号であり、第５のトランジスタＭ５と第６のトランジスタＭ６はいずれもオフになる。プルアップ選択信号が高レベルの信号であるため、第９のトランジスタＭ９はオンになり、第１２のトランジスタＭ１２のゲート電極の信号を高レベルの信号にし、よって第１２のトランジスタＭ１２がオンになり、第２のプルダウンノードＰＤ２は第２レベル信号入力端２３すなわち低レベル信号入力端と連結され、第２のプルダウンノードＰＤ２の信号は低レベルの信号であり、第１３のトランジスタＭ１３と第１４のトランジスタＭ１４はいずれもオフになる。したがって、第１のトランジスタＭ１のゲート電極と当該シフトレジスタユニットの出力端はいずれも低レベル信号入力端と切断され、第１のトランジスタＭ１のゲート電極すなわちプルアップノードＰＵの信号は高レベルの信号であり、第１のトランジスタＭ１がオンになり、第ｎ段のシフトレジスタユニットが出力する信号ＯＵＴ（ｎ）は低レベルの信号であり、当該シフトレジスタユニットに接続される走査ゲートラインのレベルは低レベルである。
【００４１】
第２段階：クロック信号ＣＬＫは高レベルの信号であり、クロック阻害信号ＣＬＫＢは低レベルの信号であり、プルアップ選択信号は低レベルの信号であり、第１５のトランジスタＭ１５はオフになり、第１のプルダウン選択信号は低レベルの信号になり、第１６のトランジスタＭ１６はオフになる。第１のコンデンサＣ１の格納作用により、プルアップノードＰＵの信号は依然として高レベルの信号であり、よって第４のトランジスタＭ４がオンになり、第１のプルダウンノードＰＤ１は低レベル信号入力端に連結され、第１のプルダウンノードＰＤ１の信号は低レベルの信号であり、第５のトランジスタＭ５と第６のトランジスタＭ６はいずれもオフになる。クロック信号ＣＬＫが高レベルの信号であるため、第７のトランジスタＭ７はオンになり、第２のプルダウンノードＰＤ２の信号を低レベルの信号にし、第１３のトランジスタＭ１３と第１４のトランジスタＭ１４はいずれもオフになる。したがって、第１のトランジスタＭ１のゲート電極と当該シフトレジスタユニットの出力端はいずれも低レベル信号入力端と切断され、第１のトランジスタＭ１のゲート電極すなわちプルアップノードＰＵの信号は高レベルの信号であり、第１のトランジスタＭ１はオンになり、第ｎ段のシフトレジスタユニットが出力する信号ＯＵＴ（ｎ）は高レベルの信号であり、すなわち第１のトランジスタＭ１が当該スフとレジスタユニットに接続される走査ゲートラインを充電することによって、当該シフトレジスタユニットに接続される走査ゲートラインのレベルを高レベルに変化させる。同時に、第１のトランジスタＭ１の第２電極が第１段階の低レベルの信号から第２段階の高レベルの信号に変化するため、プルアップノードＰＵの電位を更に上昇させる。
【００４２】
第３段階：第１のコンデンサＣ１の格納作用により、プルアップノードＰＵの信号は依然として高レベルの信号であるため、第４のトランジスタＭ４がオンになり、第１のプルダウンノードＰＤ１は低レベル信号入力端に連結され、第１のプルダウンノードＰＤ１の信号は低レベルの信号であり、第５のトランジスタＭ５と第６のトランジスタＭ６はいずれもオフになる。同時に、第２のプルダウン選択信号が高レベルの信号であるため、第１０のトランジスタＭ１０はオンになり、第１２のトランジスタＭ１２のゲート電極の信号を高レベルの信号にし、したがって第１２のトランジスタＭ１２はオンになり、第２のプルダウンノードＰＤ２は第２レベル信号入力端２３すなわち低レベル信号入力端に連結され、第２のプルダウンノードＰＤ２の信号は低レベルの信号であり、第１３のトランジスタＭ１３と第１４のトランジスタＭ１４はいずれもオフになる。したがって、第１のトランジスタＭ１のゲート電極と当該シフトレジスタユニットの出力端はいずれも低レベル信号入力端と切断される。第１のプルダウン選択信号が低レベルの信号であるため、第１６のトランジスタＭ１６がオフになり、プルアップノードＰＵの信号は高レベルの信号を維持し、第１のトランジスタＭ１はオンを維持し、このとき、クロック信号ＣＬＫは低レベルの信号であるため、第２段階において当該シフトレジスタユニットに接続される走査ゲートラインのレベルは高レベルであるため、当該シフトレジスタユニットに接続される走査ゲートラインの上の高レベルの信号はオンになった第１のトランジスタＭ１を通じて低レベルの信号に変化する。したがって、当該シフトレジスタユニットにおける第１のトランジスタＭ１によって当該シフトレジスタユニットに接続される走査ゲートラインのレベルのプルアップ及びダウンを実現することができる。また、図１０において、第２のプルダウン選択信号の高レベルの信号は第１７のトランジスタＭ１７をオンにさせるため、当該シフトレジスタユニットの出力端を低レベル信号入力端に連結させ、これにより図１０に示すシフトレジスタユニットにおいて、シフトレジスタユニットに接続される走査ゲートライン上の高レベルの信号は、オンになった第１のトランジスタＭ１によって低レベルの信号に変化するだけではなく、第１７のトランジスタＭ１７によって低レベル信号入力端に放出することもできる。
【００４３】
第４段階：第１のプルダウン選択信号は高レベルの信号であり、第１６のトランジスタＭ１６はオンにあり、プルアップノードＰＵは低レベル信号入力端に連結され、プルアップノードＰＵの信号は低レベルの信号であり、第１のトランジスタＭ１はオフになり、当該シフトレジスタユニットは受け付けたクロック信号を出力しなくなる。クロック信号ＣＬＫは高レベルの信号であるため、第２のトランジスタＭ２をオンにさせ、同時にプルアップノードＰＵの信号は低レベルの信号であるため、第４のトランジスタＭ４をオフにさせ、したがって、第１のプルダウンノードＰＤ１の信号は高レベルの信号になり、第５のトランジスタＭ５と第６のトランジスタＭ６はオンになり、プルアップノードＰＵと当該シフトレジスタユニットの出力端はいずれも低レベル信号入力端と接続する。また、第１のプルダウン選択信号は高レベルの信号であるため、第１１のトランジスタＭ１１はオンになり、第１２のトランジスタＭ１２のゲート電極を低レベル信号入力端に接続させ、これにより第１２のトランジスタＭ１２の寄生容量に格納された高レベルの信号を低レベル信号入力端に放出することができ、当該高レベルの信号は第１段階のプルアップ選択信号と第３段階の第２のプルダウン選択信号に由来するものであり、後続段階において第１２のトランジスタＭ１２のゲート電極の電位が高電位であることによって第１２のトランジスタＭ１２がオンになり、第２のプルダウンノードＰＤ２の信号にエラーが生じるのを防止することができる。
【００４４】
第５段階：クロック信号ＣＬＫは低レベルの信号であり、クロック阻害信号ＣＬＫＢは高レベルの信号であり、第８のトランジスタＭ８はオンになり、同時にプルアップ選択信号、第１のプルダウン選択信号及び第２のプルダウン選択信号はいずれも低レベルの信号であるため、第９のトランジスタＭ９、第１０のトランジスタＭ１０及び第１１のトランジスタＭ１１はいずれもオフになり、第１２のトランジスタＭ１２をオフにさせ、したがって、第２のプルダウンノードＰＤ２の信号は高レベルの信号であり、第１３のトランジスタＭ１３と第１４のトランジスタＭ１４はオンになり、第１のトランジスタＭ１のゲート電極と当該シフトレジスタユニットの出力端はいずれも低レベル信号入力端と接続する。
【００４５】
第６段階：クロック信号ＣＬＫは高レベルの信号であり、クロック阻害信号ＣＬＫＢは低レベルの信号であり、第２のトランジスタＭ２はオンになり、プルアップ選択信号は低レベルの信号であるため、プルアップノードＰＵの信号は低レベルの信号を維持し、第４のトランジスタＭ４はオフになり、したがって第１のプルダウンノードＰＤ１の信号は高レベルの信号であり、第５のトランジスタＭ５と第６のトランジスタＭ６はいずれもオンになり、第１のトランジスタＭ１のゲート電極と当該シフトレジスタユニットの出力端はいずれも低レベル信号入力端と接続する。
【００４６】
その後、本発明の実施例が提供するシフトレジスタユニットが受け付けるプルアップ選択信号が高レベルの信号になるまで第５段階と第６段階を順次に繰り返した後、第１段階をもう一度始めからを実行する。ただし、第１、２、３段階において当該シフトレジスタユニットに接続される走査ゲートラインは選択され、第４、５、６段階において当該シフトレジスタユニットに接続される走査ゲートラインは選択されなくなる。
【００４７】
第５段階と第６段階において、第１のプルダウンノードＰＤ１の信号とクロック信号ＣＬＫは同一であり、第２のプルダウンノードＰＤ２の信号とクロック阻害信号ＣＬＫＢは同一である。第１のプルダウンノードＰＤ１の信号が第５のトランジスタＭ５と第６のトランジスタＭ６のいずれもオンになるように制御するときに、第２のプルダウンノードＰＤ２の信号は第１３のトランジスタＭ１３と第１４のトランジスタＭ１４のいずれもオフになるように制御する。第１のプルダウンノードＰＤ１の信号が第５のトランジスタＭ５と第６のトランジスタＭ６のいずれもオフになるように制御するときに、第２のプルダウンノードＰＤ２の信号は第１３のトランジスタＭ１３と第１４のトランジスタＭ１４のいずれもオンになるように制御する。これにより、シフトレジスタユニットに対応するゲートラインが選択されない時間帯内に、シフトレジスタユニットにおけるいくつかのトランジスタが長時間オンになることによりこれらのトランジスタの閾値電圧に偏りが生じる問題を防止して、シフトレジスタユニットを含む駆動回路の使用寿命を延長させる。
【００４８】
Ｐ型トランジスタとＮ型トランジスタは以下の点のみにおいて相違する：Ｐ型トランジスタはゲート電極が受け付けた信号が低レベルの信号であるときにオンになり、ゲート電極が受け付けた信号が高レベルの信号であるときにオフになる一方、Ｎ型トランジスタはゲート電極が受け付けた信号が高レベルの信号であるときにオンになり、ゲート電極が受け付けた信号が低レベルの信号であるときにオフになる。したがって、備えるトランジスタがいずれもＰ型トランジスタであるシフトレジスタユニットと備えるトランジスタがいずれもＮ型トランジスタであるシフトレジスタユニットとでは、作業原理が類似し、ここでは説明しないこととする。
【００４９】
本発明の実施例は、さらに、本発明の実施例が提供するシフトレジスタユニットを有する表示装置を提供する。
【００５０】
上記の本発明の実施例の順序は説明のために過ぎず、実施例の優劣を表すものではない。
【００５１】
当業者は本発明の趣旨と範囲を逸脱することなく、本発明に対してさまざまな変更、変形を行うことができる。これにより、本発明のこれらの修正及び変形は本発明の請求の範囲及び均等の技術的範囲内である限り、本発明はこれらの変更、変形を含むことを意図するものとする。
【符号の説明】
【００５２】
２１  プルアップモジュール
２２  第１のプルダウンモジュール
２３  第２レベル信号入力端
２４  第２のプルダウンモジュール
２５  第３のプルダウンモジュール
２４１  第１のプルダウン駆動ユニット
２４２  第１のプルダウンユニット
２５１  第２のプルダウン駆動ユニット
２５２  第２のプルダウンユニット
Ｃ１  第１のコンデンサ
ＣＬＫ  クロック信号
ＣＬＫＢ  クロック阻害信号
Ｍ１〜Ｍ１７  第１のトランジスタ〜第１７のトランジスタ
ＯＵＴ（ｎ）  出力信号
ＰＤ１  第１のプルダウンノード
ＰＤ２  第２のプルダウンノード
ＰＵ  プルアップノード
Ｔ１〜Ｔ４  トランジスタ
【図１】
2016526247.tif 000003
【図２】
2016526247.tif 000004
【図３】
2016526247.tif 000005
【図４】
2016526247.tif 000006
【図５】
2016526247.tif 000007
【図６】
2016526247.tif 000008
【図７】
2016526247.tif 000009
【図８】
2016526247.tif 000010
【図９】
2016526247.tif 000011
【図１０】
2016526247.tif 000012
【図１１】
2016526247.tif 000013
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
第１のコンデンサと、第１のトランジスタと、プルアップモジュールと、第１のプルダウンモジュールと、を有するシフトレジスタユニットであって、
第１のトランジスタの第１電極はクロック信号を受け付け、第１のトランジスタのゲート電極は第１のコンデンサの一端、プルアップモジュール及び第１のプルダウンモジュールにそれぞれ接続され、第１のトランジスタの第２電極は第１のコンデンサの他端に接続され、
プルアップモジュールは、クロック信号が第２レベルの信号であり且つプルアップ選択信号が第１レベルの信号であるときは、第１のトランジスタのゲート電極に第１レベルの信号を出力し、クロック信号が第１レベルの信号であり且つプルアップ選択信号が第２レベルの信号であるときは、第１のトランジスタのゲート電極に第１レベルの信号を出力せず、前記プルアップ選択信号は前記シフトレジスタユニットの一段前のシフトレジスタユニットが出力する信号であり、
第１のプルダウンモジュールは、クロック信号が第１レベルの信号であり且つ第１のプルダウン選択信号が第１レベルの信号であるときは、第１のトランジスタのゲート電極と第２レベル信号入力端が連結するように制御し、前記第１のプルダウン選択信号は、前記シフトレジスタユニットの後の第２段のシフトレジスタユニットが出力する信号であり、
第１のトランジスタは、第１のトランジスタのゲート電極の信号が第１レベルの信号であるときは、受け付けたクロック信号を第１のトランジスタの第２電極から出力し、且つ前記第１のトランジスタのゲート電極の信号が第２レベルの信号であるときは、受け付けたクロック信号を第１のトランジスタの第２電極から出力しないこと、を特徴とするシフトレジスタユニット。
【請求項２】
前記シフトレジスタユニットは、さらに、第２のプルダウンモジュールを有し、第２のプルダウンモジュールは第１のトランジスタのゲート電極と第１のトランジスタの第２電極にそれぞれ接続され、
前記第２のプルダウンモジュールは、第１のトランジスタのゲート電極の信号が第２レベルの信号であり、クロック信号が第１レベルの信号であり且つクロック阻害信号が第２レベルの信号であるときは、第１のトランジスタのゲート電極と第１のトランジスタの第２電極のいずれも第２レベル信号入力端と連結するように制御し、また第１のトランジスタのゲート電極の信号が第２レベルの信号であり、クロック信号が第２レベルの信号であり、且つクロック阻害信号が第１レベルの信号であるときは、第１のトランジスタのゲート電極と第１のトランジスタの第２電極のいずれも第２レベル信号入力端と切断するように制御し、そして第１のトランジスタのゲート電極の信号が第１レベルの信号であるときは、第１のトランジスタのゲート電極と第１のトランジスタの第２電極のいずれも第２レベル信号入力端と切断するように制御する、請求項１に記載のシフトレジスタユニット。
【請求項３】
前記第２のプルダウンモジュールは、第１のプルダウン駆動ユニットと第１のプルダウンユニットと、を有し、第１のプルダウン駆動ユニットと第１のプルダウンユニットが接続する接続ポイントは第１のプルダウンノードであり、
前記第１のプルダウン駆動ユニットは、第１のトランジスタのゲート電極の信号が第１レベルの信号であるときは、第１のプルダウンノードの信号が第２レベルの信号になるように制御し、また第１のトランジスタのゲート電極の信号が第２レベルの信号であり、クロック信号が第１レベルの信号であり、且つクロック阻害信号が第２レベルの信号であるときは、第１のプルダウンノードの信号が第１レベルの信号になるように制御し、そして、第１のトランジスタのゲート電極の信号が第２レベルの信号であり、クロック信号が第２レベルの信号であり、且つクロック阻害信号が第１レベルの信号であるときは、第１のプルダウンノードの信号が第２レベルの信号になるように制御し、
前記第１のプルダウンユニットは、第１のプルダウンノードの信号が第１レベルの信号であるときは、第１のトランジスタのゲート電極と第１のトランジスタの第２電極のいずれも第２レベル信号入力端と連結するように制御し、また第１のプルダウンノードの信号が第２レベルの信号であるときは、第１のトランジスタのゲート電極と第１のトランジスタの第２電極のいずれも第２レベル信号入力端と切断するように制御する、ことを特徴とする請求項２に記載のシフトレジスタユニット。
【請求項４】
前記第１のプルダウン駆動ユニットは、第２のトランジスタと、第３のトランジスタと、第４のトランジスタと、を有し、
第２のトランジスタの第１電極はクロック信号を受け付け、第２のトランジスタのゲート電極はクロック信号を受け付け、第２のトランジスタの第２電極は第１のプルダウンノードに接続され、第３のトランジスタの第１電極はクロック信号を受け付け、第３のトランジスタのゲート電極はクロック阻害信号を受け付け、第３のトランジスタの第２電極は第１のプルダウンノードに接続され、第４のトランジスタの第１電極は第１のプルダウンノードに接続され、第４のトランジスタのゲート電極は第１のトランジスタのゲート電極に接続され、第４のトランジスタの第２電極は第２レベル信号入力端に接続され、
第２のトランジスタは、クロック信号が第１レベルの信号であるときにオンになり、且つクロック信号が第２レベルの信号であるときにオフになり
第３のトランジスタは、クロック阻害信号が第１レベルの信号であるときにオンになり、且つクロック阻害信号が第２レベルの信号であるときにオフになり、
第４のトランジスタは、第１のトランジスタのゲート電極の信号が第１レベルの信号であるときは、第１のプルダウンノードと第２レベル信号入力端を連結させ、また第１のトランジスタのゲート電極の信号が第２レベルの信号であるときは、第１のプルダウンノードと第２レベル信号入力端を切断させる、請求項３に記載のシフトレジスタユニット。
【請求項５】
前記第１のプルダウンユニットは、第５のトランジスタと、第６のトランジスタと、を有し、
第５のトランジスタの第１電極は第１のトランジスタのゲート電極に接続され、第５のトランジスタのゲート電極は第１のプルダウンノードに接続され、第５のトランジスタの第２電極は第２レベル信号入力端に接続され、第６のトランジスタの第１電極は第１のトランジスタの第２電極に接続され、第６のトランジスタのゲート電極は第１のプルダウンノードに接続され、第６のトランジスタの第２電極は第２レベル信号入力端に接続され、
第５のトランジスタは、第１のプルダウンノードの信号が第１レベルの信号であるときに、第１のトランジスタのゲート電極と第２レベル信号入力端を連結させ、また第１のプルダウンノードの信号が第２レベルの信号であるときに、第１のトランジスタのゲート電極と第２レベル信号入力端を切断させ、
第６のトランジスタは、第１のプルダウンノードの信号が第１レベルの信号であるときに、第１のトランジスタの第２電極と第２レベル信号入力端を連結させ、また第１のプルダウンノードの信号が第２レベルの信号であるときに、第１のトランジスタの第２電極と第２レベル信号入力端を切断させる、請求項３または４に記載のシフトレジスタユニット。
【請求項６】
前記シフトレジスタユニットは、さらに、第３のプルダウンモジュールを有し、第３のプルダウンモジュールは第１のトランジスタのゲート電極と第１のトランジスタの第２電極にそれぞれ接続され、
前記第３のプルダウンモジュールは、プルアップ選択信号が第１レベルの信号であり、又は第２のプルダウン選択信号が第１レベルの信号であり、又はクロック阻害信号が第２レベルの信号であるときは、第１のトランジスタのゲート電極と第１のトランジスタの第２電極のいずれも第２レベル信号入力端と切断するように制御するし、またプルアップ選択信号、第１のプルダウン選択信号及び第２のプルダウン選択信号のいずれも第２レベルの信号であり、且つクロック信号が第２レベルの信号であり、クロック阻害信号が第１レベルの信号であるときは、第１のトランジスタのゲート電極と第１のトランジスタの第２電極のいずれも第２レベル信号入力端と連結するように制御し、前記第２のプルダウン選択信号は前記シフトレジスタユニットの一段後のシフトレジスタユニットが出力する信号である、請求項１ないし５のいずれか一項に記載のシフトレジスタユニット。
【請求項７】
前記第３のプルダウンモジュールは、第２のプルダウン駆動ユニットと、第２のプルダウンユニットと、を有し、第２のプルダウン駆動ユニットと第２のプルダウンユニットとが接続する接続ポイントは第２のプルダウンノードであり、
第２のプルダウン駆動ユニットは、プルアップ選択信号が第１レベルの信号であり、又は第２のプルダウン選択信号が第１レベルの信号であり、又はクロック阻害信号が第２レベルの信号であるときは、第２のプルダウンノードの信号が第２レベルの信号になるように制御し、また、プルアップ選択信号、第１のプルダウン選択信号及び第２のプルダウン選択信号のいずれも第２レベルの信号であり、且つクロック信号が第２レベルの信号であり、クロック阻害信号が第１レベルの信号であるときは、第２のプルダウンノードの信号が第１レベルの信号になるように制御し、
第２のプルダウンユニットは、第２のプルダウンノードの信号が第１レベルの信号であるときは、第１のトランジスタのゲート電極と第１のトランジスタの第２電極のいずれも第２レベル信号入力端と連結するように制御し、また第２のプルダウンノードの信号が第２レベルの信号であるときは、第１のトランジスタのゲート電極と第１のトランジスタの第２電極のいずれも第２レベル信号入力端と切断するように制御する、請求項６に記載のシフトレジスタユニット。
【請求項８】
前記第２のプルダウン駆動ユニットは、第７のトランジスタと、第８のトランジスタと、第９のトランジスタと、第１０のトランジスタと、第１１のトランジスタと、第１２のトランジスタと、を有し、
第７のトランジスタの第１電極はクロック阻害信号を受け付け、第７のトランジスタのゲート電極はクロック信号を受け付け、第７のトランジスタの第２電極は第２のプルダウンノードに接続され、第８のトランジスタの第１電極はクロック阻害信号を受け付け、第８のトランジスタのゲート電極はクロック阻害信号を受け付け、第８のトランジスタの第２電極は第２のプルダウンノードに接続され、第９のトランジスタの第１電極はプルアップ選択信号を受け付け、第９のトランジスタのゲート電極はプルアップ選択信号を受け付け、第９のトランジスタの第２電極は第１２のトランジスタのゲート電極に接続され、第１０のトランジスタの第１電極は第２のプルダウン選択信号を受け付け、第１０のトランジスタのゲート電極は第２のプルダウン選択信号を受け付け、第１０のトランジスタの第２電極は第１２のトランジスタのゲート電極に接続され、第１１のトランジスタの第１電極は第１２のトランジスタのゲート電極に接続され、第１１のトランジスタのゲート電極は第１のプルダウン選択信号を受け付け、第１１のトランジスタの第２電極は第２レベル信号入力端に接続され、第１２のトランジスタの第１電極は第２のプルダウンノードに接続され、第１２のトランジスタの第２電極は第２レベル信号入力端に接続され、
第７のトランジスタは、クロック信号が第１レベルの信号であるときにオンになり、且つクロック信号が第２レベルの信号であるときにオフになり、
第８のトランジスタは、クロック阻害信号が第１レベルの信号であるときにオンになり、且つクロック阻害信号が第２レベルの信号であるときにオフになり、
第９のトランジスタは、プルアップ選択信号が第１レベルの信号であるときに、第１２のトランジスタのゲート電極の信号が第１レベルの信号になるように制御し、且つプルアップ選択信号が第２レベルの信号であるときにオフになり、
第１０のトランジスタは、第２のプルダウン選択信号が第１レベルの信号であるときに、第１２のトランジスタのゲート電極の信号が第１レベルの信号になるように制御し、且つ第２のプルダウン選択信号が第２レベルの信号であるときにオフになり、
第１１のトランジスタは、第１のプルダウン選択信号が第１レベルの信号であるときに、第１２のトランジスタのゲート電極と第２レベル信号入力端を連結させ、且つ第１のプルダウン選択信号が第２レベルの信号であるときに、第１２のトランジスタのゲート電極と第２レベル信号入力端を切断させ、
第１２のトランジスタは、第１２のトランジスタのゲート電極の信号が第１レベルの信号であるときに第２のプルダウンノードと第２レベル信号入力端を連結させ、また第１２のトランジスタのゲート電極の信号が第２レベルの信号であるときに第２のプルダウンノードと第２レベル信号入力端を切断させる、請求項７に記載のシフトレジスタユニット。
【請求項９】
第２のプルダウンユニットは、第１３のトランジスタと、第１４のトランジスタと、を有し、
第１３のトランジスタの第１電極は第１のトランジスタのゲート電極に接続され、第１３のトランジスタのゲート電極は第２のプルダウンノードに接続され、第１３のトランジスタの第２電極は第２レベル信号入力端に接続され、第１４のトランジスタの第１電極は第１のトランジスタの第２電極に接続され、第１４のトランジスタのゲート電極は第２のプルダウンノードに接続され、第１４のトランジスタの第２電極は第２レベル信号入力端に接続され、
第１３のトランジスタは、第２のプルダウンノードの信号が第１レベルの信号であるときに、第１のトランジスタのゲート電極と第２レベル信号入力端を連結させ、且つ第２のプルダウンノードの信号が第２レベルの信号であるときに、第１のトランジスタのゲート電極と第２レベル信号入力端を切断させ、
第１４のトランジスタは、第２のプルダウンノードの信号が第１レベルの信号であるときに、第１のトランジスタの第２電極と第２レベル信号入力端を連結させ、且つ第２のプルダウンノードの信号が第２レベルの信号であるときに、第１のトランジスタの第２電極と第２レベル信号入力端を切断させる、請求項７または８に記載のシフトレジスタユニット。
【請求項１０】
前記プルアップモジュールは、第１５のトランジスタを有し、
第１５のトランジスタの第１電極はプルアップ選択信号を受け付け、第１５のトランジスタのゲート電極はプルアップ選択信号を受け付け、第１５のトランジスタの第２電極は第１のトランジスタのゲート電極に接続され、
第１５のトランジスタは、プルアップ選択信号が第１レベルの信号であるときに、第１のトランジスタのゲート電極の信号が第１レベルの信号になるように制御し、またプルアップ選択信号が第２レベルの信号であるときにオフになる、請求項１ないし９のいずれか一項に記載のシフトレジスタユニット。
【請求項１１】
前記第１のプルダウンモジュールは、第１６のトランジスタを有し、
第１６のトランジスタの第１電極は第１のトランジスタのゲート電極に接続され、第１６のトランジスタのゲート電極は第１のプルダウン選択信号を受け付け、第１６のトランジスタの第２電極は第２レベル信号入力端に接続され、
第１６のトランジスタは、第１のプルダウン選択信号が第１レベルの信号であるときに、第１のトランジスタのゲート電極を第２レベル信号入力端と連結させ、また第１のプルダウン選択信号が第２レベルの信号であるときにオフになる、請求項１ないし１０のいずれか一項に記載のシフトレジスタユニット。
【請求項１２】
表示装置であって、前記表示装置は複数段の請求項１ないし１１のいずれか一項に記載のシフトレジスタを有することを特徴とする表示装置。
【国際調査報告】
2016526247.tif 000014
2016526247.tif 000015
2016526247.tif 000016
2016526247.tif 000017
2016526247.tif 000018
2016526247.tif 000019